(57)【要約】      （修正有）【課題】へた及び／又は芯を除去する除去刃の長さを可変することができるへた及び／又は芯除去具を提供する。【解決手段】へた及び／又は芯除去具Ｄは、手で把持する長手方向に長い把持部１と、この把持部１より突出して設けられ、へた及び／又は芯を除去する除去刃２と、この除去刃２の一部を覆う中間開度位置、除去刃２の全てを露出する全開位置に保持される覆い体３とを備え、覆い体３に係止部Ｋが設けられ、把持部１に係止部Ｋに係止される被係止部が複数設けられ、被係止部は、把持部１に、少なくとも、前記中間開度位置に対応する中間開度位置の被係止部Ｕ１と、前記全開位置に対応する全開位置の被係止部Ｕ２とを有するものである。【選択図】図１
0003210474.tif 000002
【実用新案登録請求の範囲】
【請求項１】
手で把持する長手方向に長い把持部と、
この把持部より突出して設けられ、へた及び／又は芯を除去する除去刃と、
この除去刃の一部を覆う中間開度位置、前記除去刃の全てを露出する全開位置に保持される覆い体とを備え、    
前記覆い体に係止部が設けられ、
前記把持部に前記係止部に係止される被係止部が複数設けられ、
前記被係止部は、前記把持部に、少なくとも、前記中間開度位置に対応する中間開度位置の被係止部と、前記全開位置に対応する全開位置の被係止部とを有する
ことを特徴とするへた及び／又は芯除去具。  
【請求項２】
手で把持する長手方向に長い把持部と、
この把持部より突出して設けられ、へた及び／又は芯を除去する除去刃と、
この除去刃の全てを覆う全閉位置、前記除去刃の一部を覆う中間開度位置、前記除去刃の全てを露出する全開位置に保持される覆い体とを備え、    
前記覆い体に係止部が設けられ、    
前記把持部に前記係止部に係止される被係止部が複数設けられ、
前記被係止部は、前記把持部に、前記全閉位置に対応する全閉位置の被係止部と、前記中間開度位置に対応する中間開度位置の被係止部と、前記全開位置に対応する全開位置の被係止部とを有する
ことを特徴とするへた及び／又は芯除去具。  
【請求項３】
係止部が被係止部に係止した状態にあって、覆い体の除去刃に近い側の先端に、前記覆い体の側方に張り出す鍔部が形成されている
ことを特徴とする請求項１又は請求項２記載のへた及び／又は芯除去具。 
【請求項４】
長手方向に長いと共に、合成樹脂で形成された覆い体と、
前記覆い体の先端に開口するように設けられ、前記長手方向に平行な第１のスリットと、
前記覆い体の先端に開口するように設けられ、前記第１のスリットに平行な第２のスリットとを備え、
係止部は、前記第１のスリットと前記第２のスリットの間であって、前記覆い体の裏面側に設けられた凸状の係止部である
ことを特徴とする請求項１又は請求項２記載のへた及び／又は芯除去具。
【請求項５】
内部に外方に開口する空間を有すると共に、手で把持する長手方向に長い把持部と、
この把持部内の空間内に設けられ、前記把持部内に進退自在に収納された進退部と、
この進退部に取り付けられ、前記開口介して外方に臨むように設けられたへた及び／又は芯を除去する除去刃とを備え、
この除去刃は、少なくとも、前記除去刃の一部を覆う中間開度位置、前記除去刃の全てを露出する全開位置に保持され、    
前記進退部に係止部が設けられ、
前記把持部に前記係止部に係止される被係止部が複数設けられ、
前記被係止部は、前記把持部に、少なくとも、前記中間開度位置に対応する中間開度位置の被係止部と、前記全開位置に対応する全開位置の被係止部とを有する
ことを特徴とするへた及び／又は芯除去具。
【請求項６】
除去刃は、長手方向に長いものであり、
前記除去刃は、前記長手方向を横断する方向の断面形状は、凹状であり、
この凹の一方側の縁部は凹凸形状をなし、
前記凹の他方側の縁部は凹凸形状をなしている
ことを特徴とする請求項１〜５記載のいずれか一つのへた及び／又は芯除去具。
【考案の詳細な説明】
【技術分野】
【０００１】
本考案は、へた及び／又は芯除去具に係り、特に、へた及び／又は芯を除去する除去刃の長さを可変することができるへた及び／又は芯除去具に関する。
【背景技術】
【０００２】
従来、果物のへたの部分と果物の果皮の部分との隙間に差し込むことにより、前記果物のへたの部分を前記果物から取り出すためのものとして、へた取り具がある（特許文献１参照）。
このへた取り具にあっては、刃部の長さは一定で、例えば、トマトのへたをとる場合には、支障は生じない。
【先行技術文献】
【特許文献】
【０００３】
【特許文献１】意匠登録第１５１３５０１号
【考案の概要】
【考案が解決しようとする課題】
【０００４】
しかしながら、へた取り具の刃部の長さが短いため、リンゴの芯、カボチャの種、綿をとる場合は、使用しづらいという問題点があった。
【０００５】
本考案は、上記の問題点を考慮してなされたもので、へた及び／又は芯を除去する除去刃の長さを可変することができるへた及び／又は芯除去具を提供することである。
【課題を解決するための手段】
【０００６】
請求項１記載のへた及び／又は芯除去具は、手で把持する長手方向に長い把持部と、この把持部より突出して設けられ、へた及び／又は芯を除去する除去刃と、この除去刃の一部を覆う中間開度位置、前記除去刃の全てを露出する全開位置に保持される覆い体とを備え、前記覆い体に係止部が設けられ、前記把持部に前記係止部に係止される被係止部が複数設けられ、前記被係止部は、前記把持部に、少なくとも、前記中間開度位置に対応する中間開度位置の被係止部と、前記全開位置に対応する全開位置の被係止部とを有するものである。
【０００７】
また、請求項２記載のへた及び／又は芯除去具は、手で把持する長手方向に長い把持部と、この把持部より突出して設けられ、へた及び／又は芯を除去する除去刃と、この除去刃の全てを覆う全閉位置、前記除去刃の一部を覆う中間開度位置、前記除去刃の全てを露出する全開位置に保持される覆い体とを備え、前記覆い体に係止部が設けられ、前記把持部に前記係止部に係止される被係止部が複数設けられ、前記被係止部は、前記把持部に、前記全閉位置に対応する全閉位置の被係止部と、前記中間開度位置に対応する中間開度位置の被係止部と、前記全開位置に対応する全開位置の被係止部とを有するものである。
【０００８】
また、請求項３記載のへた及び／又は芯除去具は、請求項１又は請求項２記載のへた及び／又は芯除去具において、係止部が被係止部に係止した状態にあって、覆い体の除去刃に近い側の先端に、前記覆い体の側方に張り出す鍔部が形成されているものである。
【０００９】
また、請求項４記載のへた及び／又は芯除去具は、請求項１又は請求項２記載のへた及び／又は芯除去具において、長手方向に長いと共に、合成樹脂で形成された覆い体と、前記覆い体の先端に開口するように設けられ、前記長手方向に平行な第１のスリットと、前記覆い体の先端に開口するように設けられ、前記第１のスリットに平行な第２のスリットと、前記第１のスリットと前記第２のスリットの間であって、前記覆い体の裏面側に設けられた凸状の係止部とを備えているものである。
【００１０】
また、請求項５記載のへた及び／又は芯除去具は、内部に外方に開口する空間を有すると共に、手で把持する長手方向に長い把持部と、この把持部内の空間内に設けられ、前記把持部内に進退自在に収納された進退部と、この進退部に取り付けられ、前記開口介して外方に臨むように設けられたへた及び／又は芯を除去する除去刃とを備え、この除去刃は、少なくとも、前記除去刃の一部を覆う中間開度位置、前記除去刃の全てを露出する全開位置に保持され、前記進退部に係止部が設けられ、前記把持部に前記係止部に係止される被係止部が複数設けられ、前記被係止部は、前記把持部に、少なくとも、前記中間開度位置に対応する中間開度位置の被係止部と、前記全開位置に対応する全開位置の被係止部とを有するものである。
【００１１】
また、請求項６記載のへた及び／又は芯除去具は、請求項１〜５記載のいずれか一つのへた及び／又は芯除去具において、除去刃は、長手方向に長いものであり、前記除去刃は、前記長手方向を横断する方向の断面形状は、凹状であり、この凹の一方側の縁部は凹凸形状をなし、前記凹の他方側の縁部は凹凸形状をなしているものである。
【考案の効果】
【００１２】
請求項１記載のへた及び／又は芯除去具によれば、被係止部は、把持部に、少なくとも、中間開度位置に対応する中間開度位置の被係止部と、全開位置に対応する全開位置の被係止部とを有するため、使用時、野菜（例えば、トマトのへた、ピーマンのヘタ・種、キャベツに芯、リンゴの芯、カボチャの種・綿等）に対応して、覆い体の係止部を中間開度位置の被係止部又は全開位置の被係止部に係止させて除去刃の長さを可変として対応することができる。
【００１３】
また、請求項２記載のへた及び／又は芯除去具によれば、被係止部は、把持部に、全閉位置に対応する全閉位置の被係止部と、中間開度位置に対応する中間開度位置の被係止部と、全開位置に対応する全開位置の被係止部とを有するため、使用時、野菜（例えば、トマトのへた、ピーマンのヘタ・種、キャベツに芯、リンゴの芯、カボチャの種・綿等）に対応して、覆い体の係止部を中間開度位置の被係止部又は全開位置の被係止部に係止させて除去刃の長さを可変として対応することができ、また、不使用時、覆い体の係止部を全閉位置の被係止部に係止させて、除去刃の全てを覆って、除去刃に手等が触れないようにして、不使用時の安全性を確保することができる。
【００１４】
また、請求項３記載のへた及び／又は芯除去具によれば、上述した請求項１又は請求項２記載の考案の効果に加え、係止部が被係止部に係止した状態にあって、覆い体の除去刃に近い側の先端に、前記覆い体の側方に張り出す鍔部が形成されているため、使用時、手が把持部から除去刃に移動するのを鍔部が阻止して安定して使用できる。
【００１５】
また、請求項４記載のへた及び／又は芯除去具によれば、上述した請求項１又は請求項２記載の考案の効果に加え、覆い体の先端に開口するように第１、第２のスリットを設け、第１のスリットと第２のスリットの間であって、覆い体の把持部に裏面側に凸状の係止部を設けたため、係止部にバネ性を持たせて、覆い体を被係止部を介して把持部に強く係止させることができる。
【００１６】
また、請求項５記載のへた及び／又は芯除去具によれば、被係止部は、把持部に、少なくとも、中間開度位置に対応する中間開度位置の被係止部と、全開位置に対応する全開位置の被係止部とを有するため、使用時、野菜（例えば、トマトのへた、ピーマンのヘタ・種、キャベツに芯、リンゴの芯、カボチャの種・綿等）に対応して、進退部の係止部を中間開度位置の被係止部又は全開位置の被係止部に係止させて除去刃の長さを可変として対応することができる。
【図面の簡単な説明】
【００１７】
【図１】図１（ａ）（ｂ）は、本考案の一実施例のへた及び／又は芯除去具の概略的斜視図であり、図１（ａ）は、覆い体により除去刃の全てを露出する全開位置に保持された状態を示し、図１（ｂ）は、覆い体により除去刃の一部を覆う中間開度位置に保持された状態を示したものである。
【図２】図２は、図１（ａ）（ｂ）のへた及び／又は芯除去具の概略的構成図である。
【図３】図３（ａ）は、図１（ａ）のへた及び／又は芯除去具の概略的正面図であり、図３（ｂ）は、図３（ａ）の概略的断面図であり、図３（ｃ）（ｄ）は、図３（ａ）の使用状態を示す写真である。
【図４】図４（ａ）は、図１（ｂ）のへた及び／又は芯除去具の概略的正面図であり、図４（ｂ）は、図４（ａ）の概略的断面図であり、図４（ｃ）は、図４（ａ）の使用状態の写真である。
【図５】図５（ａ）（ｂ）は、図１のへた及び／又は芯除去具の除去刃の全てを覆い体により覆う全閉位置に保持された状態の概略的図であり、図５（ａ）は、概略的正面図であり、図５（ｂ）は、図５（ａ）の概略的断面図である。
【図６】図６（ａ）は、本考案の他の実施例のへた及び／又は芯除去具の概略的斜視図であり、図６（ｂ）は、図６（ａ）の６−６線による概略的断面図である。
【図７】図７（ａ）は、本考案の他の実施例のへた及び／又は芯除去具の概略的斜視図であり、図７（ｂ）は、図７（ａ）の概略的断面図であり、図７（ｃ）は、図７（ａ）の概略的一部拡大断面図である。
【考案を実施するための形態】
【００１８】
本考案の一実施例のへた及び／又は芯除去具を図１乃至図５を参照して説明する。
図１（ａ）（ｂ）に示すＤは、野菜、例えば、トマトのへた、ピーマンのヘタ・種、キャベツに芯、リンゴの芯、カボチャの種・綿等を除去するへた及び／又は芯除去具で、へた及び／又は芯除去具Ｄは、手で把持する長手方向に長い把持部１と、この把持部１より突出して設けられ、へた及び／又は芯を除去する除去刃２と、この除去刃２の一部を覆う中間開度位置、除去刃の全てを露出する全開位置に保持される覆い体３とを有する。
なお、把持部１、覆い体３は、例えば、合成樹脂で形成されている。また、除去刃２は、長手方向に長いものであり、除去刃２は、図３（ａ）（ｂ）に示すように、前記長手方向を横断する方向の断面形状は、凹状であり、この凹状の一方側の縁部２１は凹凸形状をなし、凹状の他方側の縁部２２は凹凸形状をなしている。
【００１９】
図３（ｂ）に示すように、覆い体３に係止部Ｋが設けられ、把持部１に係止部Ｋに係止される被係止部Ｕ（Ｕ０、Ｕ１、Ｕ２）が複数設けられている。
係止部Ｋが被係止部Ｕに係止した状態にあって、覆い体３の除去刃２に近い側の先端に、覆い体３の側方に張り出す鍔部３０が形成されている。
鍔部３０は設けなくても良いが、望ましくは、鍔部３０は設けた方が良い。
即ち、使用時、手が把持部１から除去刃２に移動するのを鍔部３０が阻止して安定して除去刃２を使用できると共に、不使用時、覆い体３が除去刃２の全てを覆う全閉位置にあるため、除去刃２に手等が触れず安全であり、また、例えば、覆い体３を台（図示せず）に当接して、覆い体３を介して把持部１を立設させることができ、不使用時のへた及び／又は芯除去具Ｄの設置スペースの効率化を図ることができる。
なお、被係止部Ｕは、把持部１に、少なくとも、中間開度位置に対応する中間開度位置の被係止部Ｕ１と、全開位置に対応する全開位置の被係止部Ｕ２とを有するものであれば良い。
【００２０】
従って、上述したへた及び／又は芯除去具Ｄによれば、被係止部Ｕは、把持部１に、少なくとも、中間開度位置に対応する中間開度位置の被係止部Ｕ１と、全開位置に対応する全開位置の被係止部Ｕ２とを有するため、使用時、野菜［例えば、トマトのへた、ピーマンのヘタ・種、キャベツに芯、リンゴの芯、カボチャの種・綿等［図３（ｃ）（ｄ）、図４（ｃ）参照）］に対応して、図１（ｂ）、図４（ａ）（ｂ）に示すように、覆い体３の係止部Ｋを中間開度位置の被係止部Ｕ１、又は、図１（ａ）、図３（ａ）（ｂ）に示すように、全開位置の被係止部Ｕ２に係止させて、除去刃２の長さを可変として対応することができる。
【００２１】
上述した実施例では、係止部Ｋが係止される被係止部Ｕは、把持部１に、少なくとも、中間開度位置に対応する中間開度位置の被係止部Ｕ１と、全開位置に対応する全開位置の被係止部Ｕ２とを有するようにしたが、本願考案の係止部Ｋが係止される被係止部Ｕにあっては、望ましくは、把持部１に、全閉位置に対応する全閉位置の被係止部Ｕ０［図５（ａ）（ｂ）参照］と、前記中間開度位置に対応する中間開度位置の被係止部Ｕ１［図４（ａ）（ｂ）参照］と、前記全開位置に対応する全開位置の被係止部Ｕ２［図３（ａ）（ｂ）参照］とを有するのが良い。
不使用時、図５（ａ）（ｂ）に示すように、覆い体３の係止部Ｋを全閉位置の被係止部Ｕ０に係止させて、除去刃２の全てを覆って、除去刃２に手等が触れないようにして、不使用時の安全性を確保することができる。
また、図示しないが、覆い体３の全閉時には、鍔部３０を下にして立てて収納するようにしても良い。
【００２２】
本願考案の覆い体は、上述した実施例の覆い体３に限らず、例えば、図６に示した覆い体でも良い。
即ち、覆い体３は、長手方向に長いと共に、合成樹脂で形成されている。図６（ａ）（ｂ）に示す３１は、覆い体３の先端に開口するように設けられ、前記長手方向に平行な第１のスリットであり、３２は、覆い体３の先端に開口するように設けられ、第１のスリット３１に平行な第２のスリットである。
【００２３】
また、Ｋ’は、第１のスリット３１と第２のスリット３２の間であって、覆い体３の裏面側に設けられた凸状の係止部である。凸状の係止部Ｋ’を設けたため、係止部Ｋ’にバネ性を持たせて、係止部Ｋ’を被係止部Ｕに係止させて、覆い体３を把持部１に強く係止させることができる。具体的には、中間開度位置の被係止部Ｕ１、全開位置に対応する全開位置の被係止部Ｕ２に係止させて、除去刃２の長さを可変として対応することができる。又、係止部Ｋ’を全閉位置の被係止部Ｕ０に係止させて、除去刃２の全てを覆って、除去刃２に手等が触れないようにして、不使用時の安全性を確保することができる。
【００２４】
本願考案のへた及び／又は芯除去具は、上述したへた及び／又は芯除去具Ｄに限らず、例えば、図７記載のへた及び／又は芯除去具Ｄでも良い。
即ち、図７（ａ）に示す１は、内部に外方に開口１１ａを有する空間１１を有すると共に、手で把持する長手方向に長い把持部で、４は、把持部１内の空間１１内に設けられ、把持部１内に進退自在に収納された進退部で、２は、進退部４に取り付けられ、開口１１ａを介して外方に臨むように設けられたへた及び／又は芯を除去する除去刃である。    
除去刃２は、少なくとも、除去刃２の一部を覆う中間開度位置、除去刃２の全てを露出する全開位置に保持され、進退部４に係止部Ｋ（例えば、凸状の係止部）が、把持部１に係止部Ｋに係止される被係止部Ｕ（例えば、開口部）が複数設けられ、被係止部Ｕは、把持部１に、少なくとも、前記中間開度位置に対応する中間開度位置の被係止部Ｕ１と、前記全開位置に対応する全開位置の被係止部Ｕ２とを有する。
なお、望ましくは、前記中間開度位置に対応する中間開度位置の被係止部Ｕ１と、前記全開位置に対応する全開位置の被係止部Ｕ２とに加え、前記全閉位置に対応する全閉位置の被係止部とＵ０とを設けるのが良い。
また、図７（ｃ）は、説明を分かりやすくするために、図７（ａ）の係止部Ｋの先端部Ｔを除去して、図７（ａ）の一部を断面すると共に、拡大した図である。
【００２５】
従って、図７記載のへた及び／又は芯除去具Ｄによれば、被係止部Ｕは、把持部１に、全閉位置に対応する全閉位置の被係止部Ｕ０と、中間開度位置に対応する中間開度位置の被係止部Ｕ１と、全開位置に対応する全開位置の被係止部Ｕ２とを有するため、使用時、野菜（例えば、トマトのへた、ピーマンのヘタ・種、キャベツに芯、リンゴの芯、カボチャの種・綿等）に対応して、進退部４の係止部Ｋを中間開度位置の被係止部Ｕ１、又は、全開位置の被係止部Ｕ２に係止させて、除去刃の長さを可変として対応することができ、
また、不使用時、進退部４の係止部Ｋを全閉位置の被係止部Ｕ０に係止させて、除去刃２の全てを把持部１内に後退させて、除去刃２に手等が触れないようにして、不使用時の安全性を確保することができる。
【符号の説明】
【００２６】
Ｄ      へた及び／又は芯除去具
Ｋ      係止部
Ｕ      被係止部
Ｕ１    中間開度位置の被係止部
Ｕ２    全開位置の被係止部
１      把持部
２      除去刃
３      覆い体
【図１】
0003210474.tif 000003
【図２】
0003210474.tif 000004
【図３】
0003210474.tif 000005
【図４】
0003210474.tif 000006
【図５】
0003210474.tif 000007
【図６】
0003210474.tif 000008
【図７】
0003210474.tif 000009